(57)【要約】【課題】前席搭乗者と後席搭乗者との間で操作の混乱が生じず、車両搭乗者による誤操作を防止できる表示制御装置を得ること。【解決手段】第１の入力装置の操作指示による第２の表示ソースを第２のディスプレイ装置に表示させる場合の操作の可否を選択するスイッチを設け、当該スイッチが操作可能に設定された場合にのみ、前記第１の入力装置の操作指示による第２の表示ソースの前記第２のディスプレイ装置への表示制御を行うことを特徴とする。【選択図】図１
2009137392.tif 000002
【特許請求の範囲】
【請求項１】
第１の入力装置の操作指示に基づいて第１の表示ソースを第１のディスプレイ装置に表示すると共に、第２の入力装置の操作指示に基づいて第２の表示ソースを第２のディスプレイ装置に表示する表示制御装置であって、
前記第１の入力装置の操作指示による前記第２の表示ソースを前記第２のディスプレイ装置に表示させる場合の操作の可否を選択するスイッチを設け、当該スイッチが操作可能に設定された場合にのみ、前記第１の入力装置の操作指示による第２の表示ソースの前記第２のディスプレイ装置への表示制御を行う表示制御装置。
【請求項２】
前記第１の入力装置及び前記第１のディスプレイ装置は車両の前席側に、前記第２の入力装置及び前記第２のディスプレイ装置は車両の後席側に、それぞれ設けられていることを特徴とする請求項１記載の表示制御装置。
【請求項３】
前記第１の入力装置及び前記第１のディスプレイ装置は車両の後席側に、前記第２の入力装置及び前記第２のディスプレイ装置は車両の前席側に、それぞれ設けられていることを特徴とする請求項１記載の表示制御装置。
【請求項４】
前記スイッチは、前記第１の入力装置又は前記第２の入力装置の少なくともいずれか一方に設けられていることを特徴とする請求項１から請求項３のうちのいずれか１項記載の表示制御装置。
【請求項５】
前記第１の入力装置の操作指示による前記第２の表示ソースを前記第２のディスプレイ装置に表示させる場合の操作の可否を前記操作指示の内容毎に規定したテーブルデータを備え、
前記スイッチは、前記テーブルデータを参照して、前記操作の可否を選択することを特徴とする請求項１から請求項４のうちのいずれか１項記載の表示制御装置。
【請求項６】
前記第２のディスプレイ装置に表示される映像に応じて、前記テーブルデータを変更することを特徴とする請求項５記載の表示制御装置。
【発明の詳細な説明】
【技術分野】
【０００１】
この発明は、車両の前席側と後席側とに設けられたそれぞれのディスプレイ装置の制御を行う表示制御装置に関する。
【背景技術】
【０００２】
従来の表示制御装置として、前席搭乗者用に設けられた前席用ディスプレイと後席搭乗者用に設けられた後席用ディプレイとで異なる映像を表示する車載ディスプレイシステムにおいて、前席用ディスプレイに後席用ディプレイに表示されている映像の縮小画像を重ねた合成画像を表示し、後席用ディスプレイに前席用ディプレイに表示されている映像の縮小画像を重ねた合成画像を表示して、前席用ディスプレイと後席用ディプレイとで同一の映像を共有できるようにしたものがあった（例えば、特許文献１参照）。また、前席側に設けられ、車載機器を操作するヘッドユニットに、前席側の音源と後席側の音源の制御を切り替える機能と、後席側に設けられ、車載機器を操作するリアコントローラからの操作の許可／不許可状態を切り替える機能とを備えた制御切替スイッチを設け、後席側の音源の制御及びリアコントローラからの操作の許可／不許可状態の切り替えを前席側のヘッドユニットから操作できるようにしたものがあった（例えば、特許文献２参照）。
【０００３】
【特許文献１】特開２００３−２３００７４号公報
【特許文献２】特開２００３−８９３３１号公報
【発明の開示】
【発明が解決しようとする課題】
【０００４】
従来の表示制御装置は上記のように構成されており、前席用ディスプレイと後席用ディプレイとで同じ映像を共有できるようにしたものでは、前席搭乗者及び後席搭乗者のどちらもが前席用ディスプレイ及び後席用ディプレイに表示された映像を操作することができるため、該操作に混乱が生じるという課題があった。また、前席側に設けられたヘッドユニットに制御切替スイッチを設けたものは、後席搭乗者が操作に不慣れな者や子供である場合には、操作に慣れた前席搭乗者が操作補助するためには都合が良い。しかしながら、後席搭乗者が、前席搭乗者による操作補助を望まない場合や、前席搭乗者が、後席搭乗者に対し誤操作を起こすことを望まない場合等に対応することができないという課題があった。
【０００５】
この発明は、上記のような課題を解決するためになされたもので、前席搭乗者と後席搭乗者との間で操作の混乱が生じず、車両搭乗者による誤操作を防止できる表示制御装置を得ることを目的とする。
【課題を解決するための手段】
【０００６】
この発明に係る表示制御装置は、第１の入力装置の操作指示による第２の表示ソースを第２のディスプレイ装置に表示させる場合の操作の可否を選択するスイッチを設け、当該スイッチが操作可能に設定された場合にのみ、前記第１の入力装置の操作指示による第２の表示ソースの前記第２のディスプレイ装置への表示制御を行うことを特徴とする。
【発明の効果】
【０００７】
この発明によれば、第１の入力装置の操作指示による第２の表示ソースを第２のディスプレイ装置に表示させる場合の操作の可否を選択するスイッチを設け、当該スイッチが操作可能に設定された場合にのみ、前記第１の入力装置の操作指示による第２の表示ソースの前記第２のディスプレイ装置への表示制御を行うようにしたので、前席搭乗者と後席搭乗者との間で操作の混乱が生じず、車両搭乗者による誤操作を防止できるという効果がある。
【発明を実施するための最良の形態】
【０００８】
以下、この発明における、実施の形態の一例について、添付の図面に従って説明する。
実施の形態１．
図１は、実施の形態１による表示制御装置１００を用いた車載ディスプレイシステムの構成図である。この車載ディスプレイシステムは、前席映像ソース１（表示ソース）、後席映像ソース２（表示ソース）、制御部３、前席入力装置４（入力装置）、前席ディスプレイ５（ディスプレイ装置）、後席入力装置６（入力装置）、後席ディスプレイ７（ディスプレイ装置）を備えている。前席映像ソース１及び後席映像ソース２は、それぞれ前席ディスプレイ５及び後席ディスプレイ７に表示する映像又は音声の少なくとも一方（以下、映像等）を供給する経路案内を行うナビゲーション装置、ＤＶＤ等の映像再生装置やアナログ・デジタルテレビ放送波を受信する映像受信装置等である。なお、前席入力装置４、後席入力装置６及び制御部３から表示制御装置１００が構成される。
【０００９】
制御部３は、ＣＰＵ（Central Processing Unit）３１、ＲＡＭ（Random Access Memory）３２、ＲＯＭ（Read Only Memory）３３を備えている。ＣＰＵ３１は、ＲＯＭ３３に記憶されたプログラムをＲＡＭ３２に読み込み、ＲＡＭ３２に読み込まれた該プログラムを実行することにより前席ディスプレイ５及び後席ディスプレイ７の映像表示制御、前席入力装置４及び後席入力装置６の入力制御や前席映像ソース１及び後席映像ソース２の再生制御等、この車載ディスプレイシステム全体を制御する。前席入力装置４は、車両の前席に着座する運転手等の前席搭乗者用に設けられ、前席映像ソース１及び後席映像ソース２を操作するコントローラである。前席ディスプレイ５は、前席搭乗者用に設けられ、前席映像ソース１又は後席映像ソース２から供給される映像等を表示する。後席入力装置６は、車両の後席に着座する運転手等の後席搭乗者用に設けられ、前席映像ソース１及び後席映像ソース２を操作するコントローラである。後席ディスプレイ７は、後席搭乗者用に設けられ、前席映像ソース１又は後席映像ソース２から供給される映像等を表示する。
【００１０】
図２は、図１で示した車載ディスプレイシステムが車両に搭載された状態を表した図である。図２に示すように、前席入力装置４及び前席ディスプレイ５は、運転者等の前席搭乗者が操作及び視認しやすいように、車両の前席１０と１１との間に設けられている。また、後席入力装置６及び後席ディスプレイ７は、後席搭乗者が操作及び視認しやすいように車両の後席１２と１３との間に設けられている。
【００１１】
図３は、前席入力装置４及び前席ディスプレイ５を示した図である。前席ディスプレイ５は、液晶ディスプレイ等により構成されている。また図示していないが、音声用スピーカやヘッドフォン用端子等を備える。前席入力装置４は、前席ディスプレイ５と一体に設けられた表示／制御対象切換ボタン２１、相手側操作権切替ボタン２２（スイッチ）、被操作許可ボタン２３（スイッチ）及び映像ソース操作ボタン群２４から構成される。表示／制御対象切換ボタン２１は、前席映像ソース１又は後席映像ソース２のどちらの映像等を前席ディスプレイ５に表示するかを選択する選択ボタンである。相手側操作権切替ボタン２２は、前席入力装置４による後席映像ソース２に対する操作の可否を選択するボタンである。被操作許可ボタン２３は、後席入力装置６による前席映像ソース１に対する操作の許可の可否を選択するボタンである。
【００１２】
映像ソース操作ボタン群２４は、前席映像ソース１又は後席映像ソース２を操作するためのボタン群である。図４は、映像ソース操作ボタン群２４に備えられたボタンの種類を示した図である。映像ソース操作ボタン群２４は、「→」「←」「↑」「↓」「決定」「戻る」ボタンを含む基本操作ボタングループ、「赤」「青」「黄」「緑」ボタンを含む色ボタングループ、「０」から「１２」ボタンを含む数字ボタングループ、「ＣｈＵｐ（チャンネルアップ）」「ＣｈＤｏｗｎ（チャンネルダウン）」「映像切替」「音声切替」「字幕切替」ボタンを含む選局ボタングループ、「停止」「再生」「一時停止」「早送り」「早戻し」ボタンを含む再生制御ボタングループ、「ＶｏｌＵｐ（ボリュームアップ）」「ＶｏｌＤｏｗｎ（ボリュームダウン）」ボタンを含む音量調整ボタングループ、「メニュー」表示、「番組表」表示、「データ」表示ボタンを含むその他のボタングループからなる。
【００１３】
なお、後席入力装置６及び後席ディスプレイ７も図３に示した前席入力装置４及び前席ディスプレイ５と同様の構成をしている。後席入力装置６に設けられた相手側操作権切替ボタン２２は、後席入力装置６による前席映像ソース１に対する操作の可否を選択するボタンである点及び被操作許可ボタン２３は、前席入力装置４による後席映像ソース２に対する操作の許可の可否を選択するボタンである点が異なる。その他の構成については、前席入力装置４及び前席ディスプレイ５と同じ構成であるため説明を省略する。また、前席入力装置４及び後席入力装置６は、それぞれ、前席ディスプレイ５及び後席ディスプレイ７の表示画面に一体的に設けられたタッチパネル、あるいはリモートコントローラ等であってもよい。また、相手側操作権切替ボタン２２及び被操作許可ボタン２３はボタンではなくスイッチで構成しても良い。
【００１４】
図５は、制御部３の機能構成図である。制御部３は、表示対象切替スイッチ４１、制御対象切替スイッチ４２、相手側操作権スイッチ４３、被操作許可スイッチ４４を備える。表示対象切換スイッチ４１は、前席ディスプレイ５に、前席映像ソース１又は後席映像ソース２のうちどちらの映像等を表示するかを、前席入力装置４の表示/制御対象切換ボタン２１の操作によりトグル選択するスイッチである。制御対象切替スイッチ４２は、前席入力装置４の映像ソース操作ボタン群２４で、前席映像ソース１又は後席映像ソース２のどちらを制御するかを、前席入力装置４の表示/制御対象切換ボタン２１の操作によりトグル選択するスイッチである。相手側操作権スイッチ４３は、前席入力装置４の相手側操作権ボタン２２の操作に基づき、前席入力装置４の映像ソース操作ボタン群２４による後席映像ソース２の操作の可否をＯＮ／ＯＦＦするスイッチである。被操作許可スイッチ４４は、後席入力装置６の被操作許可ボタン２３の操作に基づき、前席入力装置４の映像ソース操作ボタン群２４で後席映像ソース２の制御を行う操作の可否をＯＮ／ＯＦＦするスイッチである。
【００１５】
なお、図５に示したこれらスイッチ４１から４４の各構成は、図１に示したＣＰＵ３１が、ＲＯＭ３３に記憶されたプログラムをＲＡＭ３２読み込み、該プログラムを実行することにより実現される。この場合、被操作許可スイッチ４４が「ＯＦＦ」の時には、前席入力装置４の映像ソース操作ボタン群２４からの信号を記憶するソフトウェア的な通過許可フラグをリセットするように構成してもよい。この通過許可フラグがリセットされている間、制御部３は、前席入力装置４の映像ソース操作ボタン群２４からの信号を受信したら該信号を破棄する。また、被操作許可スイッチ４４が「ＯＮ」の場合には、通過許可フラグがセットされ、前席入力装置４の映像ソース操作ボタン群２４からの信号を受信し、該信号を後席映像ソース２へ送信するよう構成される。
【００１６】
次に動作について、図５から図９を参照しながら説明する。
図６は、前席入力装置４及び後席入力装置６の表示/制御対象切換ボタン２１が、それぞれ「前」、「後」に設定され、前席ディスプレイ５で前席映像ソース１を、後席ディスプレイ７で後席映像ソース２をそれぞれ視聴している状態を表している。なお、本説明において、前席入力装置４の被操作許可ボタン２３及び後席入力装置６の表示/制御対象切換ボタン２２は、ＯＮ／ＯＦＦどちらに設定されていても関係しないため、任意として図示している。
【００１７】
図７は、図６の状態から、前席入力装置４の表示/制御対象切換ボタン２１を操作して、表示対象切換スイッチ４１を「後」に切り換えた状態を示した図である。表示/制御対象切換ボタン２１が操作されると、制御部１１により、表示対象切換スイッチ４１が「前」から「後」に切り換えられ、前席ディスプレイ５に後席映像ソース２の映像等が表示される。また、このとき、制御部３により、制御対象切換スイッチ４２も「前」から「後」に切り換えられるが、相手側操作権スイッチ４３は「ＯＦＦ」のままであるため、前席入力装置４の映像ソース操作ボタン群２４の操作による信号は、後席映像ソース２に伝わらず、相手側操作権スイッチ４３で破棄される。このため、前席搭乗者は後席搭乗者の視聴する後席映像ソース２の映像等を共有しながらも、後席映像ソース２に対して意図に反した誤操作をする心配がない。
【００１８】
図８は、図７の状態から、前席入力装置４の相手側操作権ボタン２２を操作して、相手側操作権スイッチ４３を「ＯＮ」に切り換えた状態を示した図である。なお、図８は、後席入力装置６の操作に慣れない後席搭乗者に変わって、前席搭乗者が前席入力装置４を操作して後席映像ソースを制御する場面を想定している。相手側操作権ボタン２２が操作されると、制御部３により、相手側操作権スイッチ４３が「ＯＦＦ」から「ＯＮ」に切り換えられ、前席入力装置４の映像ソース操作ボタン群２４から後席映像ソース２を操作することが可能となる。このため、前席搭乗者は後席搭乗者の視聴する後席映像ソース２の映像等を共有し、かつ前席入力装置４の映像ソース操作ボタン群２４を操作することにより、後席映像ソース２に対して所望の操作を行うことができる。
【００１９】
また、図８の状態において、後席搭乗者は、後席映像ソース２に対する操作が混乱しないよう前席搭乗者による操作を禁止したい場合もある。図９は、前席搭乗者による後席映像ソース２に対する操作を禁止するため、図７の状態から、後席搭乗者が後席入力装置６の被操作許可ボタン２３を操作して、被操作許可スイッチ４４を「ＯＦＦ」に切り換え、さらに前席搭乗者は、後席映像ソース２を操作しようと、前席入力装置４の相手側操作権ボタン２２を操作して、相手側操作権スイッチ４３を「ＯＮ」に切り替えた状態を示した図である。被操作許可ボタン２３が操作されると、制御部３により、被操作許可スイッチ４４が「ＯＮ」から「ＯＦＦ」に切り換えられる。また、相手側操作権ボタン２２が操作されると、制御部３により、相手側操作権スイッチ４３が「ＯＦＦ」から「ＯＮ」に切り換えられる。ここで、前席搭乗者が、後席映像ソース２を操作しようと、前席入力装置４の映像ソース操作ボタン群２４を操作しても、被操作許可スイッチ４４が「ＯＦＦ」となっているため、前席入力装置４の映像ソース操作ボタン群２４の操作による信号が、被操作許可スイッチ４４で破棄され、後席映像ソース２に伝わらない。このため、後席搭乗者は、前席搭乗者による後席映像ソース２に対する望まない操作を防止できる効果がある。
【００２０】
以上のように、この実施の形態１による表示制御装置１００は、前席入力装置４に操作権切替ボタン２２を設け、操作権切替ボタン２２の操作に基づき、前席入力装置４の映像ソース操作ボタン群２４による後席映像ソース２に対する操作を許可するようにしたので、前席搭乗者は、後席搭乗者の操作を補助するなどの意思がある場合にのみ後席映像ソース２を操作することができ、前席搭乗者と後席搭乗者との間で操作の混乱が生じないという効果がある。また、後席搭乗者の操作を補助する意思が無い場合などに、意図に反した誤操作を防止できるという効果がある。また、後席入力装置６に被操作許可ボタン２３を設け、被操作許可ボタン２３の操作に基づき前席入力装置４の映像ソース操作ボタン群２４による後席映像ソース２の操作を許可するようにしたので、前席搭乗者からの操作補助がほしいなどの意思がある場合にのみ前席搭乗者による後席映像ソース２の操作を許可することができ、前席搭乗者と後席搭乗者との間で操作の混乱が生じないという効果がある。また、前席搭乗者の補助を欲しない場合には、前席搭乗者による操作を禁止することができ、意図に反した誤操作を防止できるという効果がある。
【００２１】
なお、この実施の形態１では、前席入力装置４に相手側操作権切替ボタン２２を設け、後席入力装置６に被操作許可ボタン２３を設け、制御部３に相手側操作権スイッチ４３及び被操作許可スイッチ４４を備えた形態について説明したが、前席入力装置４に相手側操作権切替ボタン２２を設け、制御部３に相手側操作権スイッチ４３を備えた形態、又は後席入力装置６に被操作許可ボタン２３を設け、制御部３に被操作許可スイッチ４４を備えた形態としても良い。また、この実施の形態１による表示制御装置１００の制御部３が備える相手側操作権スイッチ４３及び被操作許可スイッチ４４を物理的なスイッチに置き換えても良い。また、この実施の形態１による表示制御装置１００では、前席入力装置４に設けられた相手側操作権切替ボタン２２の操作に基づき、前席映像ソース１による後席映像ソース２の操作を許可し、後席入力装置６に設けられた被操作許可ボタン２３の操作に基づき、前席映像ソース１による後席映像ソース２の操作を許可する形態について説明したが、図１０に示すように、後席入力装置６に相手側操作権切替ボタン２２を設け、相手側操作権切替ボタン２２の操作に基づき、前席映像ソース１の操作を許可するようにしてもよい。また前席入力装置４に被操作許可ボタン２３を設け、被操作許可ボタン２３の操作に基づき、後席入力装置６による前席映像ソース１の操作を許可するようにしてもよい。
【００２２】
この場合、前席搭乗者の操作を補助するなどの意思がある場合にのみ前席映像ソース１を操作することができ、前席搭乗者と後席搭乗者との間で操作の混乱が生じないという効果がある。また、前席搭乗者の操作を補助する意思が無い場合など、意図に反した誤操作を防止できるという効果がある。また、後席搭乗者からの操作補助がほしいなどの意思がある場合にのみ後席搭乗者による前席映像ソース１の操作を許可することができ、前席搭乗者と後席搭乗者との間で操作の混乱が生じないという効果がある。また、後席搭乗者の補助を欲しない場合には、後席搭乗者による操作を禁止することができ、意図に反した誤操作を防止できるという効果がある。
【００２３】
実施の形態２．
図１１は、実施の形態２による表示制御装置２００が備える制御部３の機能構成図である。実施の形態１では、映像ソース操作ボタン群２４による操作を全て許可するか否かを設定する形態について説明したが、この実施の形態２では、映像ソース操作ボタン群２４の操作内容に応じて、操作を許可するか否かを設定する形態について説明する。なお、この実施の形態２では、映像ソース操作ボタン群２４の操作内容に応じて、操作を許可するか否かを決定する信号振分部４５及び信号振分部４６を、相手側操作権スイッチ４３及び被操作許可スイッチ４４にそれぞれ備える点が実施の形態１による表示制御装置１００と異なる。その他の構成については、実施の形態１による表示制御装置１００と同じであるため、その説明を省略する。
【００２４】
図１２は、信号振分部４５及び４６が内部に備えるテーブルデータである通過許可テーブルを示した図である。該通過許可テーブルにより、映像ソース操作ボタン群２４の各ボタンは、３つの操作レベルに分けられ、操作レベル毎に通過許可フラグが定義されている。ここで、前席映像ソース１又は後席映像ソース２としてデジタルテレビ放送の映像受信装置を選択した場合、図４に示した基本操作ボタングループ及び色ボタングループは操作レベル１に、数字ボタングループ、選局ボタングループ、再生制御ボタングループ、その他のボタングループは操作レベル２に、音量調整ボタングループは操作レベル３へ、それぞれ割り当てられている。なお、この割り当ては一例を示したものであり適宜変更可能であることは言うまでもない。
【００２５】
図１２に示した、相手側操作権スイッチ４３が内部に備える通過許可テーブルの各操作レベル１から３の通過許可フラグの状態は、前席入力装置４の相手側操作権ボタン２２を操作するたびに、以下の状態０から状態３までサイクリックに変更される。ここで、リセットとは、映像ソース操作ボタン群２４からの受信信号を破棄する状態を言う。また、セットとは、映像ソース操作ボタン群２４からの受信信号を通過させる状態を言う。
状態０  全レベルともリセット。
状態１  レベル１をセット、レベル２及び３をリセット。
状態２  レベル１及び２をセット、レベル３をリセット。
状態３  全レベルともセット。
【００２６】
相手側操作権４３が備える信号振分部４５は、映像ソース操作ボタン群２４から信号が入力されると、図１２に示した通過許可テーブルを参照して、映像ソース操作ボタン群２４から入力された信号がどの操作レベルに属する信号であるかを判定し、該当する操作レベルに対応する通過許可フラグがセット状態にある場合は、相手側操作権スイッチ４３を「ＯＮ」にして、前記信号を被操作許可スイッチ４４側へ通過させる。該当する操作レベルに対応する通過許可フラグがリセット状態にある場合は、相手側操作権スイッチ４３を「ＯＦＦ」にし、前記信号を破棄する。
【００２７】
また、図１２に示した、被操作許可スイッチ４４が内部に備える通過許可テーブルの各操作レベル１から３の通過許可フラグの状態は、後席入力装置６の相手側操作権ボタン２２を操作するたびに、以下の状態０から状態３までサイクリックに変更される。
状態０  全レベルともリセット。
状態１  レベル１をセット、レベル２及び３をリセット。
状態２  レベル１及び２をセット、レベル３をリセット。
状態３  全レベルともセット。
【００２８】
被操作許可スイッチ４４の信号振分部４６は、映像ソース操作ボタン群２４から信号が入力されると、図１２に示した通過許可テーブルを参照して、映像ソース操作ボタン群２４から入力された信号がどの操作レベルに属する信号であるかを判定し、該当する操作レベルに対応する通過許可フラグがセット状態にある場合は、被操作許可スイッチ４４を「ＯＮ」にして、前記信号を後席映像ソース２へ通過させる。該当する操作レベルに対応する通過許可フラグがリセット状態にある場合は、被操作許可スイッチ４４を「ＯＦＦ」にし、前記信号を破棄する。
【００２９】
次に動作について、図１３及び図１４を参照しながら説明する。
図１３は、前席入力装置４及び後席入力装置６にそれぞれ設けられた表示／制御対象切換ボタン２１を「後」に設定し、前席ディスプレイ５及び後席ディスプレイ７で後席映像ソース２の映像等を共有して表示している状態を表している。また、被操作許可スイッチ４４が内部に備える通過許可テーブルの通過許可フラグの状態が状態３であるものとして説明を行う。
【００３０】
上記のように、被操作許可スイッチ４４の信号振分部４６が備える通過許可テーブルの通過許可フラグの状態が状態３にあれば、被操作許可スイッチ４４は、すべての入力信号を後席映像ソース２へ通過させるが、相手側操作権スイッチ４３の信号振分部４５が備える通過許可テーブルの通過許可フラグの状態が状態０にあれば、相手側操作権スイッチ４３は、すべての入力信号を破棄する。このため、前席入力装置４の映像ソース操作ボタン群２４の操作は後席映像ソース２に伝わることはなく、前席搭乗者は、後席搭乗者が視聴する後席映像ソース２の映像等を共有しながらも、後席映像ソース２に対して意図に反した誤操作をする心配がない。
【００３１】
次に、前席搭乗者が前席入力装置４の相手側操作権ボタン２２を操作すると、制御部３は、相手側操作権スイッチ４３の信号振分部４５が備える通過許可テーブルの通過許可フラグの状態を状態０から状態１に変更する。この時、相手側操作権スイッチ４３は、操作レベル１に該当するデータ放送画面操作用のボタンの入力信号だけを被操作許可スイッチ４４側へ通過させる。このため、前席搭乗者は、後席映像ソース２に対して、データ放送画面に限り操作することが可能となるが、その他の操作、例えば、音量調整など前席搭乗者の意図に反する操作を行う心配はない。また、前席搭乗者が前席入力装置４の相手側操作権ボタン２２をさらに二度操作すると、制御部３は、相手側操作権スイッチ４３の信号振分部４５が備える通過許可テーブルの通過許可フラグの状態を状態１から状態３に変更する。この時、相手側操作権スイッチ４３は、全ての入力信号を被操作許可スイッチ４４側へ通過させる。従って、前席搭乗者は、後席映像ソース２に対して、音量調整を含む全ての操作が可能となる。
【００３２】
図１４は、前席入力装置４及び後席入力装置６のそれぞれの表示／制御対象切換ボタン２１を「後」に設定し、前席ディスプレイ５及び後席ディスプレイ７で後席映像ソース２の映像等を共有して視聴している状態を表している。また、相手側操作権スイッチ４３の信号振分部４５が内部に備える通貨許可テーブルの通過許可フラグの状態が状態３であるものとして説明を行う。
【００３３】
上記のように、相手側操作権スイッチ４３の信号振分部４５が備える通過許可テーブルの通過許可フラグの状態が状態３にあれば、相手側操作権スイッチ４３の信号振分部４５は、すべての入力信号を被操作許可スイッチ４４側へ通過させるが、被操作許可スイッチ４４の信号振分部４６が備える通過許可テーブルの通過許可フラグの状態が状態０にあれば、被操作許可スイッチ４４は、すべての入力信号を破棄するため、前席入力装置４の映像ソース操作ボタン群２４の操作が後席映像ソース２に伝わることはない。このため、後席搭乗者は、後席映像ソース２に対する前席搭乗者による操作の全てを拒否することができる。
【００３４】
次に、後席搭乗者が後席入力装置６の被操作許可ボタン２３を二度操作すると、制御部３は、被操作許可スイッチ４４の信号振分部４６が備える通過許可テーブルの通過許可フラグの状態を状態０から状態２に変更する。この時、被操作許可スイッチ４４は、操作レベル１及び操作レベル２に該当するボタンの入力信号だけを通過させ、操作レベル３に該当する音量調整用ボタングループの入力信号は破棄する。このため、後席搭乗者は、後席映像ソース２に対する前席からの操作のうち、音量調整だけを禁止し、それ以外は許可すること、すなわち前席では感知しえない後席における音量については、前席から勝手に変更されることを回避しつつ、その他の操作については前席搭乗者からの操作補助を受けることが可能となる効果がある。また、後席搭乗者が後席入力装置６の被操作許可ボタン２３を更に操作すると、制御部３は、被操作許可スイッチ４４の信号振分部４６が備える通過許可テーブルの通過許可フラグの状態を状態２から状態３に変更する。この場合、後席搭乗者は、前席からの後席映像ソース２に対する全ての操作を許可することが可能となる。
【００３５】
以上のように、この実施の形態２による表示制御装置２００によれば、相手側操作権スイッチ４３に、図１２に示した通過許可テーブルを具備し、該通過許可テーブルに基づき、映像ソース操作ボタン群２４の操作を許可するか否かを判断する信号振分部４５を備えたことにより、後席映像ソース２に対する特定の操作に限って、後席搭乗者の操作を補助するなどの意思がある場合に後席映像ソース２を操作することができ、その他の意図に反した誤操作を防ぐことができる効果がある。また、被操作許可スイッチ４４に、図１２に示した通過許可テーブルを備え、該通過許可テーブルに基づき、映像ソース操作ボタン群２４の操作を許可するか否かを判断する信号振分部４６を備えたことにより、後側映像ソースに対する特定の操作に限って、前席搭乗者からの操作補助がほしいなどの意思がある場合に、前席搭乗者からの操作を許可することができ、それ以外の前席搭乗者からの望まない操作を禁止することができる効果がある。
【００３６】
なお、この実施の形態２による表示制御装置２００においても、実施の形態１による表示制御装置１００と同様に、相手側操作権スイッチ４３、及び被操作許可スイッチ４４を物理的なスイッチとしてもよい。また、図１０に示すように、後席入力装置６に設けられた相手側操作権切替ボタン２２により、前席映像ソース１の操作の可否の切り替えを行い、前席入力装置４に設けられた被操作許可ボタン２３により、前席映像ソース１に対する後席からの操作を許可するか否かを切り替えるようにしてもよい。その他の効果は実施の形態１と同様である。
【００３７】
実施の形態３．
入力装置のボタンに、操作の場面に応じた複数機能を割り付けることは、一般的によく行われる。例えば、デジタルテレビ放送の映像受信装置において、数字ボタンは、通常は視聴対象のチャンネルを選局する機能として働くが、データ放送画面で郵便番号等のユーザ入力を促す内容を表示している時には、データ放送画面操作における数字入力の機能として働く。この実施の形態３では、上記のように複数機能割付けを考慮した形態について説明する。
図１５は、この実施の形態３による表示制御装置３００が備える制御部３の機能構成図である。図１１と比較して、相手側操作権スイッチ４３がレベル分類変更要求信号５１を、被操作許可スイッチ４４がレベル分類変更要求信号５２をそれぞれ備える点が異なる。その他の構成については、実施の形態２による表示制御装置２００と同じであるため説明を省略する。
【００３８】
図１５のレベル分類変更要求信号５１は、制御対象である後席映像ソース２から相手側操作権スイッチ４３に送信される信号であり、後席映像ソース２において、後席搭乗者に入力を促す内容の画面が表示されると相手側操作権スイッチ４３へ送信される。具体的には、相手側操作権スイッチ４３の信号振分部４５が備える通過許可テーブルが図１６に示す状態にあり、さらに後席映像ソース２がデジタルテレビ放送の映像受信装置であり、データ放送画面で郵便番号等のユーザ入力を促す内容の表示を開始する場合、数字ボタングループを操作レベル２から操作レベル１に変更するよう指示するレベル分類変更要求信号５１が相手側操作権スイッチ４３へ送信される。
【００３９】
相手側操作権スイッチ４３は、レベル分類変更要求信号５１を受信すると、信号振分部４５が備える通過許可テーブルを図１７に示す状態に変更する。また、データ放送画面で郵便番号等のユーザ入力を促す内容の表示を終了する場合には、数字ボタングループをレベル１からレベル２に変更するよう指示するレベル分類変更要求信号５１が、後席映像ソース２から相手側操作権スイッチ４３へ送信され、相手側操作権スイッチ４３は、レベル分類変更要求信号５１を受信すると、信号振分部４５が備える通過許可テーブルを図１６に示す状態に変更する。
【００４０】
レベル分類変更要求信号５２は、制御対象である後席映像ソース２から被操作許可スイッチ４４に送信される信号であり、後席映像ソース２において、後席搭乗者に入力を促す内容の画面が表示されると被操作許可スイッチ４４へ送信される。具体的には、被操作許可スイッチ４４の信号振分部４６が備える通過許可テーブルが図１６に示す状態にあり、さらに後席映像ソース２がデジタルテレビ放送の映像受信装置であり、データ放送画面で郵便番号等のユーザ入力を促す内容の表示を開始する場合に、数字ボタングループを操作レベル２から操作レベル１に変更するよう指示するレベル分類変更要求信号５２が被操作許可スイッチ４４へ送信される。
【００４１】
被操作許可スイッチ４４は、レベル分類変更要求信号５２を受信すると、信号振分部４６が備える通過許可テーブルを図１７に示す状態に変更する。また、データ放送画面で郵便番号等のユーザ入力を促す内容の表示を終了する場合には、数字ボタングループをレベル１からレベル２に変更するよう指示するレベル分類変更要求信号５２が、後席映像ソース２から被操作許可スイッチ４４へ送信され、被操作許可スイッチ４４は、レベル分類変更要求信号５２を受信すると、信号振分部４６が備える通過許可テーブルを図１６に示す状態に変更する。
【００４２】
次に動作について、図１８及び図１９を参照しながら説明する。
図１８は、前席入力装置４及び後席入力装置６のそれぞれ表示/制御対象切換ボタン２１を「後」に設定し、前席ディスプレイ５及び後席ディスプレイ７で後席映像ソース２の映像等を共有して視聴している状態を表している。また図１８では、被操作許可スイッチ４４の信号振分部４６が内部に備える通過許可テーブルの通過許可フラグの状態が状態３、相手側操作権スイッチ４３の信号振分部４５が内部に備える通過許可テーブルの通過許可フラグの状態が状態１であるため、被操作許可スイッチ４４は、すべての入力信号を通過させ、相手側操作権スイッチ４３は、操作レベル１に該当するデータ放送画面操作用のボタンの入力信号だけを通過させる。
【００４３】
ここで、デジタルテレビ放送の映像受信装置である後席映像ソース２が、通常画面を表示している時には、相手側操作権スイッチ４３の信号振分部４５が備える通過許可テーブルが図１６に示す状態にある。ここで、数字ボタングループは、操作レベル２に該当するので相手側操作権スイッチ４３において破棄される。このため、前席搭乗者が前席入力装置４の映像ソース操作ボタン群２４の数字ボタングループを操作しても、後席映像ソース２のチャンネル選局が行われることはない。
【００４４】
しかし、後席映像ソース２が郵便番号等のユーザ入力を促すデータ放送画面を表示している時には、後席映像ソース２から相手側操作権スイッチ４３へレベル分類変更要求信号５１が送信され、該レベル分類変更要求信号５１に基づいて、相手側操作権スイッチ４３の信号振分部４５が備える通過許可テーブルが図１７に示す状態にとなるため、数字ボタングループは、操作レベル１に変更された状態となり、相手側操作権スイッチ４３を通過することができる。このため、前席搭乗者が前席入力装置４の映像ソース操作ボタン群２４で数字ボタンを操作すると、後席映像ソース２に対して数字入力を行うことができる。以上のように、数字ボタンの機能が後席映像ソース２の表示場面によって変わっても、前席搭乗者は、後席映像ソース２に対して、データ放送画面に限り操作することが可能となる。
【００４５】
図１９は、前席入力装置４及び後席入力装置６のそれぞれ表示／制御対象切換ボタン２１を「後」に設定し、前席ディスプレイ５及び後席ディスプレイ７で後席映像ソース２の映像等を共有して視聴している状態を表している。また図１９では、相手側操作権スイッチ４３の信号振分部４５が内部に備える通過許可テーブルの通過許可フラグの状態が状態３、被操作許可スイッチ４４の信号振分部４６が内部に備える通過許可テーブルの通過許可フラグの状態が状態１であるため、相手側操作権スイッチ４３は、すべての入力信号を通過させ、被操作許可スイッチ４４は、操作レベル１に該当するデータ放送画面操作用のボタンの入力信号だけを通過させる。
【００４６】
ここで、デジタルテレビ放送の映像受信装置である後席映像ソース２が、通常画面を表示している時には、被操作許可スイッチ４４の信号振分部４６が備える通過許可テーブルが図１６に示す状態にあり、数字ボタングループは、操作レベル２に該当するので被操作許可スイッチ４４において破棄される。このため、前席搭乗者が前席入力装置４の映像ソース操作ボタン群２４の数字ボタングループを操作しても、後席映像ソース２のチャンネル選局が行われることはない。
【００４７】
しかし、後席映像ソース２が郵便番号等のユーザ入力を促すデータ放送画面を表示している時には、後席映像ソース２から被操作許可スイッチ４４へレベル分類変更要求信号５２が送信され、該レベル分類変更要求信号５２に基づいて、被操作許可スイッチ４４の信号振分部４６が備える通過許可テーブルが図１７に示す状態となるため、数字ボタングループは、操作レベル１に変更された状態となる。このため、数字ボタングループに該当する操作信号は、被操作許可スイッチ４４を通過することができる。このため、前席搭乗者が前席入力装置４の映像ソース操作ボタン群２４で数字ボタンを操作すると、後席映像ソース２に対して数字入力が可能となる。以上のように、数字ボタンの機能が、後席映像ソース２に表示される場面によって変わっても、前席搭乗者は、後席映像ソース２に対して、データ放送画面に限り操作することが可能となる。
【００４８】
以上のように、この実施の形態３による表示制御装置３００では、制御対象である後席映像ソース２から相手側操作権スイッチ４３に送信されるレベル分類変更要求信号５１により、信号振分部４５が備える通過許可テーブルの状態を変更するように構成したので、相手側操作権スイッチ４３の設定が、前席搭乗者の操作を許可しない設定であっても、入力信号の機能が表示画面により変更された場合は、特定の操作に限り、後席映像ソース２を操作することができるという効果がある。また、制御対象である後席映像ソース２から被操作許可スイッチ４４に送信されるレベル分類変更要求信号５２により、信号振分部４６が備える通過許可テーブルの状態を変更するように構成したので、被操作許可スイッチ４４の設定が、前席搭乗者の操作を許可しない設定であっても、入力信号の機能が表示画面により変更された場合は、特定の操作に限り、後席映像ソース２の操作を許可することができるという効果がある。
【００４９】
なお、この実施の形態３による表示制御装置３００においても、実施の形態１による表示制御装置１００と同様に、相手側操作権スイッチ４３、及び被操作許可スイッチ４４を物理的なスイッチとしてもよい。また、図１０に示すように、後席入力装置６に設けられた相手側操作権切替ボタン２２により、前席映像ソース１の操作の可否の切り替えを行い、前席入力装置４に設けられた被操作許可ボタン２３により、前席映像ソース１に対する後席からの操作を許可するか否かを切り替えるようにしてもよい。その他の効果は実施の形態２と同様である。
【図面の簡単な説明】
【００５０】
【図１】実施の形態１による表示制御装置の構成図である。
【図２】実施の形態１による表示制御装置が車両に搭載された状態を表した図である。
【図３】実施の形態１による前席入力装置及び前席ディスプレイを示した図である。
【図４】実施の形態１による映像ソース操作ボタン群に備えられたボタンの種類を示した図である。
【図５】実施の形態１による制御部の機能構成図である。
【図６】実施の形態１による表示制御装置の動作を説明する図である。
【図７】実施の形態１による表示制御装置の動作を説明する図である。
【図８】実施の形態１による表示制御装置の動作を説明する図である。
【図９】実施の形態１による表示制御装置の動作を説明する図である。
【図１０】実施の形態１による表示制御装置の他の構成を示した図である。
【図１１】実施の形態２による制御部の機能構成図である。
【図１２】実施の形態２による信号振分部の通過許可テーブルを示した図である。
【図１３】実施の形態２による表示制御装置の動作を説明する図である。
【図１４】実施の形態２による表示制御装置の動作を説明する図である。
【図１５】実施の形態３による制御部の機能構成図である。
【図１６】実施の形態３による信号振分部の通過許可テーブルを示した図である。
【図１７】実施の形態３による信号振分部の通過許可テーブルを示した図である。
【図１８】実施の形態３による表示制御装置の動作を説明する図である。
【図１９】実施の形態３による表示制御装置の動作を説明する図である。
【符号の説明】
【００５１】
１  前席映像ソース（表示ソース）、２  後席映像ソース（表示ソース）、３  制御部、４  前席入力装置（入力装置）、５  前席ディスプレイ（ディスプレイ装置）、６  後席入力装置（入力装置）、７  後席ディスプレイ（ディスプレイ装置）、１０，１１，１２，１３  席、２１  表示／制御対象切換ボタン、２２  相手側操作権切替ボタン（スイッチ）、２３  被操作許可ボタン（スイッチ）、２４  映像ソース操作ボタン群、３１  ＣＰＵ、３２  ＲＡＭ、３３  ＲＯＭ、４１  表示対象切替スイッチ、４２  制御対象切替スイッチ、４３  相手側操作権スイッチ、４４  被操作許可スイッチ、４５，４６  信号振分部、１００，２００，３００  表示制御装置。
【図１】
2009137392.tif 000003
【図２】
2009137392.tif 000004
【図３】
2009137392.tif 000005
【図４】
2009137392.tif 000006
【図５】
2009137392.tif 000007
【図６】
2009137392.tif 000008
【図７】
2009137392.tif 000009
【図８】
2009137392.tif 000010
【図９】
2009137392.tif 000011
【図１０】
2009137392.tif 000012
【図１１】
2009137392.tif 000013
【図１２】
2009137392.tif 000014
【図１３】
2009137392.tif 000015
【図１４】
2009137392.tif 000016
【図１５】
2009137392.tif 000017
【図１６】
2009137392.tif 000018
【図１７】
2009137392.tif 000019
【図１８】
2009137392.tif 000020
【図１９】
2009137392.tif 000021